(57)【特許請求の範囲】
【請求項１】
オンサート供給源から連続部分を分配するためのフィーダと、
連続部分から、一対の並んだオンサートを含むオンサートセクションを切断するように構成且つ配置された横方向カッターアッセンブリーと、
連続部分から切断された各オンサートセグメントを受けて、一対の折り畳まれ並んだオンサートを確立するようにオンサートセグメントを少なくとも１つの横方向折り畳み線に沿って折り畳むように構成且つ配置された座屈折り機と、
一対の切断され、離れて並んだオンサートを確立するように各折り畳まれたオンサートセグメントを長手方向に切断するように構成且つ配置された長手方向カッターと、
折り畳まれ切断され、離れて並んだオンサートを連続的に受け、オンサートを分岐された通路に沿って移動させる搬送装置と、
搬送装置の分岐された通路からオンサートを受けるように構成且つ配置されたコンベヤと、  オンサートをコンベヤからアプリケータを通って走行している商品に移すように構成且つ配置されたアプリケータと、を有する、オンサートを折り畳み、それを商品に貼り付けるための機械。
【請求項２】
オンサートを商品に移す前に各オンサートに接着剤を塗布するための接着剤装置を含む、請求項１に記載の機械。
【請求項３】
オンサートを商品に移す前に商品に接着剤を塗布するための接着剤装置を含む、請求項１に記載の機械。
【請求項４】
オンサートロールから連続ロール部分を分配するためのフィーダと、
連続ロール部分から、一対の並んだオンサートを含むオンサートセクションを切断するように構成且つ配置された横方向カッターアッセンブリーと、
連続ローラ部分から切断された各オンサートセグメントを受けて、一対の折り畳まれ、並んだオンサートを確立するようにオンサートセグメントを少なくとも１つの横方向折り畳み線に沿って折り畳むように構成且つ配置された座屈折り機と、
一対の切断され、離れて並んだオンサートを確立するように各折り畳まれたオンサートセグメントを長手方向に切断するように構成且つ配置された長手方向カッターと、
折り畳まれ切断され、離れて並んだオンサートを連続的に受け、オンサートを分岐された通路に沿って移動させる搬送装置と、
搬送装置の分岐された通路からオンサートを受けるように構成且つ配置され、オンサートが位置決めされる間隔を隔てた横方向ラグを長さに沿って有する一対の間隔を隔てたラグベルトコンベヤと、
オンサートをラグベルトコンベヤから間隔を隔てた商品に移すように配置された一対の間隔を隔てたアプリケータと、を有する、請求項１に記載の機械。
【請求項５】
各ラグベルトコンベヤと関連した一対の吸引レールを含み、ラグがオンサートを下流方向に移動させるためオンサートに係合した状態で、レールにオンサートを保持する、請求項１に記載の機械。
【請求項６】
ラグベルトコンベヤは、
エンドレスコンベヤベルトと、
ベルトに設けられた、間隔を隔てた横方向ラグと、
ベルトの一部分と関連した吸引レールと、を有し、吸引レールは、ラグがオンサートに係合した状態で折り畳まれたオンサートをレールに吸い付けるための、ベルトに隣接した吸引開口を有する、請求項５に記載の機械。
【請求項７】
請求項６による機械に使用するためのラグベルトコンベヤ。
【請求項８】
オンサートをオンサートの連続ロールから送る段階と、
連続ロールからオンサートを横方向に切断する段階と、
前記横方向に切断されたオンサートを少なくとも１つの折り畳み線に沿って折り畳む段階と、
前記折り畳まれたオンサートを長手方向に切り離す段階と、
前記折り畳まれ、切り離されたオンサートを分岐された通路に沿って運ぶ段階と、
前記折り畳まれ、切り離されたオンサートを分岐された通路に沿って走行している商品に貼り付ける段階と、を有する、オンサートを折り畳み、折り畳まれたオンサートを商品に貼り付ける方法。
【請求項９】
連続ロールから横方向にオンサートセグメントを切断することを含み、各オンサートセグメントは、一対の並んだオンサートを含み、
オンサートセグメントを座屈折り機に通すことによって各オンサートセグメントの一対の並んだオンサートを予め決定された折り畳み状態に同時に横方向に折り畳む段階と、
各オンサートセグメントの折り畳まれた、並んだオンサートを互いに長手方向に切り離す段階と、
前記折り畳まれ、切り離されたオンサートを及び商品をアプリケータに一致して送る段階と、を有する、請求項８に記載のオンサートを折り畳み、折り畳まれたオンサートを商品に貼り付ける方法。
【発明の詳細な説明】
【技術分野】
【０００１】
本出願は、２００３年２月２５日に出願されたプロビジョナル出願第６０／４４９，７４９号の利益を得る権利があり、その出願を全て有用な目的のためにその全体が個々に援用される。
【０００２】
本発明は、オンサート(onsert（折り畳んだ紙シート））を折り畳んでこれを、たばこパックのような消費者商品に貼り付けるための機械に関し、特に、予備印刷材料のエンドレスロールから並んだ対のオンサートを折り畳み、対のオンサートを個々の折り畳みオンサートに切断し、オンサートを二重路に沿って搬送して、二重路に沿って走行しているたばこパックに貼り付けるための機械に関する。
【背景技術】
【０００３】
特に、たばこパックの場合には、パックが、たばこについての情報を含み、及び又は広告目的の媒体として役立つ印刷オンサートを含む必要が増えている。他の例では、係るオンサートは、消費者が景品当たりくじ引き等に参加する資格を提供するクーポンの形体をとってもよい。透明なフィルムの外側包装を通常備えるたばこパックの場合には、印刷オンサートはパックと外側包装の間に位置決めされ、それによって、パックと外側包装が依然として完全であるとき、オンサートを外側から見ることができる。パックと外側包装との間に位置決めされるとき、オンサートをパックの上に直接置き、引き続いて包装してもよいし、或いは、オンサートを、パックが柔軟な外側包装材で包装される前に柔軟な外側包装の上に最初に置いてもよい。
【０００４】
現在、多くのオンサートは、予め折り畳まれて、個々の予め折り畳まれたオンサートのスタックを経てたばこパックに供給される。このやり方の欠点は、予め折り畳まれたリボン又は個々の印刷オンサート材料のスタックを作ることの全費用及び困難を伴う。その上、個々のオンサートは、オンサートが全く容易にジャムを起こす傾向がある極めて高い生産速度で作動し、従って、オンサートをたばこパックに供給してこれを貼り付けるアプリケータにオンサートを送るための徹底的なオペレータ介入を必要とするたばこ包装機械で扱いにくい。
【発明の開示】
【発明が解決しようとする課題】
【０００５】
従って、本発明の目的の１つは、折り畳まれてない印刷オンサートの連続ロールを含み、連続ロールからオンサートを横方向に切断する横方向カッターヘッドと、オンサートを折り畳み、オンサートを、たばこパックのような消費者商品に直接付けるためのアプリケータに供給するための折り機とを含む直線に並んだオンサート折り機装置を提供することにある。
【０００６】
本発明の他の目的は、並んだ関係の一対のオンサートを折り畳むように機能する幅広いローラを有する座屈折り機と、二重路に沿って走行しているたばこパックのような消費者パックに貼り付けるために二重路に沿って送られる前に一対の折り畳まれたオンサートを個々のオンサートに切断する長手方向のカッターアッセンブリーとを含む直線に並んだオンサート折り機装置を提供することにある。
【課題を解決するための手段】
【０００７】
本発明によれば、直線に並んだオンサート折り機装置は、予備印刷オンサートの連続ロールと、ロールから並んだ関係をなした一対のオンサートを切断するように構成且つ配置された横方向カッターアッセンブリーと、を有する。一対の印刷オンサートは、平らな折り畳まれてない状態で座屈折り機に下流方向に供給され、座屈折り機は、一対の印刷オンサートを受けて、それを少なくとも１つの折り畳み線に沿って単一ユニットとして折り畳む。次いで、一対の折り畳まれたオンサートは個々のユニットに切断され、二重末広がり路にそって下流方向に運ばれる。一対の間隔を隔てたラグベルトコンベヤは、二重末広がり路の出口端から折り畳まれたオンサートを受け、オンサートは、コンベヤの等間隔を隔てたラグに当たる。各コンベヤのラグは、オンサートが貼り付けられる走行している消費者パック間の間隔とほぼ同じ距離等間隔に隔てられる。各ラグベルトコンベヤに隣接したアプリケータ装置がオンサートを移送してそれを消費者パックに直接貼り付ける。
【０００８】
本発明の好ましい実施形態では、両アプリケータ装置は間隔を隔てた消費者パックの二重流れに隣接しており、各アプリケータ装置は、折り畳まれたオンサートを、パックの周りに外側包装を付ける前に各流れのパックに直接貼り付ける。接着剤が、オンサートを付ける前に各オンサートに又は各パックに塗布されるのがよい。
【０００９】
本発明はまた、予備印刷オンサートを折り畳んで、折り畳まれたオンサートを消費者パックに貼り付ける方法に向けられる。この方法は、予備印刷オンサートの連続ロールを準備する段階と、ロールからオンサートを切断する段階と、を含む。切断されたオンサートは、下流方向に連続的に運ばれ、引き続いて、少なくとも１つの折り畳み線に沿って折り畳まれる。次いで、折り畳まれたオンサートは、二重路に沿って供給されて、消費者パックのまわりに柔軟な外側包装を付ける前にこれ又二重路にそって走行している消費者パックに貼り付ける。
【００１０】
上記の特徴及び利点に加えて、本発明の新規な特徴及び利点は、添付図面と関連した下記の詳細な説明を読むことにより塔業者には明らかになろう。添付図面に置いて、同じ参照番号は、同じ部品を指す。
【発明を実施するための最良の形態】
【００１１】
特に図面を参照すると、図１は、印刷オンサート１２を折り畳んでこれを、一対の平行なコンベヤベルト１６に沿って走行するたばこパックのような消費者商品に貼り付けるための機械１０の構成要素を示す。基本的には、予備印刷オンサート１２は、コンベヤベルト１６に沿って走行するとき、折り畳まれ、搬送され、最後に、たばこパックに貼り付けられる。
【００１２】
機械１０は、予備印刷オンサートの連続ロール１８を含む。ロールは、２つのオンサートが並んだ関係をなしてロール上で印刷されるに十分幅広い。以下でもっと完全に説明するように、折り畳み作業後、一対の折り畳まれたオンサートは長手方向に切断され、それによって一対の個々のオンサートを作る。
【００１３】
予備印刷オンサートの連続ロールから直ぐ下流に、横方向カッターアッセンプリー２０が設けられ、連続ロールからオンサートセクションを切断するように構成且つ配置されている。上記のように、各オンサートセクション２２は一対の並んだ予備印刷オンサートを含む。
【００１４】
座屈折り機２４が横方向カッターアッセンブリー２０から下流に位置決めされて各切断されたオンサートセクション２２を受けて、かかるセクションを少なくとも１つの横方向折線に沿って折り畳む。図１並びに拡大して図５に示す座屈折り機２４は、各セクション２２を３つの折り畳み線に沿って折り畳まれるように構成且つ配置されている。加速ベルト（図示せず）が横方向カッターアッセンブリー２０と座屈折り機２４との間に位置決めされ、オンサートセクションを折り機の第１ローラーニップに送り込む。
【００１５】
座屈折り機は、一般的には、紙基材の前方端を停止させ、基材の残部を移動させ続けることによって紙商品に折り畳みを生じさせるように機能し、それによって基材を、折り畳みを生じさせるローラニップへ下方に座屈させる。このタイプの機械は、米国特許第４，１２５，２５４号及び同第６，２２４，５６０号に記載されており、これら特許の両方を全て有用な目的のためにここに援用する。基本的には、座屈折り機２４は、折り機の入口に、印刷オンサートセクション２２を受け入れ且つこれらのセクションを折り機を通して送るための一対のローラ２６を含む。入口ローラ２６のニップを通過した直後に、オンサートセクションは、該セクション２２の前方境界部が第１折り畳みパン又はシュート内のストップに当たるまで、ローラ対２６、２８の間に送られる。次いで、オンサートは第１折り畳みローラ対２８、３２のニップへ下方に座屈し、第１長手方向折り畳みが予備印刷オンサートセクションに与えられる。次いで、セクションは第２折り畳みパン又はシュート３４へ順次送り込まれて座屈され、次いで、ローラ３２とローラー３６からなる第２折り畳みローラ対に送られ、ローラ３２、３６は、第２の長手方向折り畳み線を生じさせる。次ぎに、部分的に折り畳まれたオンサートセクションは第３パン又はシュート３８に入り、下方に座屈し、ローラ３６とローラ４０からなる第３折り畳みローラ対を通る。
【００１６】
長手方向カッターブレード４４が座屈折り機２４の出口端に位置決めされ、各折り畳まれたセグメント２２を一対の個々のオンサート１２に長手方向に切断する。カッターブレードは、オンサートセグメント２２がローラ４０とカッターブレード４４との間を通る時回転してローラ４０に当たる。
【００１７】
長手方向カッターブレード４４から直ぐ下流の搬送装置４８が、長手方向切断作業後、個々の折り畳まれたオンサート１２を連続的に受ける。図２に最も良く示されているように、搬送装置４８は、個々のオンサート１２を二重末広がり路に沿って移動させる一対の末広がりコンベヤベルト５０、５２からなる。各ベルト５０、５２は、オンサートが下流方向に走行するときオンサート１２をベルト上に間隔を保った関係に保持するための等間隔の隆起突出部５４を有するのがよい。変形例として、末広がり真空ベルト（図示せず）を、オンサートを座屈折り機から下流方向に搬送するのに使用してもよい。また、末広がりピッチベルトをこの目的のために使用してもよい。
【００１８】
一対の間隔を隔てたラグベルトコンベヤ６０、６２が搬送装置４８の末広がりベルト５０、５２の下流に位置決めされる。各ラグベルトコンベヤは、搬送装置４８の末広がり路の放出端からオンサートを受ける。図１ー３に最も良く示されているように、各ラグベルトコンベヤ６０、６２は、その長さに沿って位置した複数の等間隔を隔てたラグ６４を含み、オンサートはラグに向かって置かれる。ラグベルトコンベヤ６０、６２と関連した間隔を隔てたレール６６が、末広がりベルト５０５２の放出端から移送中オンサート１２をレールに吸い付けるように構成且つ配置された吸引口を含む。吸引方向は、各オンサート１２がレールに吸い付けられるような方向であり、レールは、ラグ６４が図３に最も良く示されているように、各オンサート１２の後縁に係合するようにラグベルトに十分近い。オンサートは、ラグベルトコンベヤのラグの押し作用によってレールに沿って滑る。かちラグベルトコンベヤは、主プーリー６８及びいくつかのアイドラープーリー７０、７２の周りに掛けられている。モーター７４が、各主プーリー６８を回転させることによってラグベルトコンベヤ６０、６２を駆動するように連結されている。
【００１９】
一対の間隔を隔てたアプリケータホイール８０、８２が、オンサートをラグベルトコンベヤ６０、６２から、アプリケータホイールの直ぐ下で走行している間隔を隔てたたばこパック１２に移すように機能する。各ラグベルトコンベヤに隣接したグルー装置８４が、たばこパックに貼り付ける前に接着剤を各オンサート１２に塗布する。オンサートのアプリケータホイールパックへの移し箇所で、コンベヤのラグ６４は僅かに引っ込んでオンサートのたばこパックへの円滑な移し及び貼り付けを可能にする。アプリケータホイールの等間隔を隔てた吸引カップ８５がオンサート１２を等間隔を隔てた関係をなしてホイール上に吸い付ける。
【００２０】
各ラグベルトコンベヤ６０、６２のラグ６２間の間隔は、アプリケータホイール８０、８２の直ぐ下で走行しているたばこパック１２間の間隔に相当する。吸引カップ８５間
の間隔も同じである。
【００２１】
図４は、装置８６からの接着剤を、オンサートのパックへの貼り付け前に各たばこパックに付着させる変形装置を示す。この装置では、グルー塗布機８４は必要ない。
【００２２】
本発明は、二重路に沿って走行しているたばこパックへの貼り付けのために柔軟な外側包装材のための二重路を含むＦｏｃｋｅ７５０包装機械と組み合わせて使用されるのがよい。本発明がＦｏｃｋｅ７５０包装機械と一緒に使用されるときには、アプリケータからのオンサートは、たばこパックに貼り付けられ、次いで、外側包装材が各パックの周りに包装される。
【００２３】
折り畳まれたオンサートをたばこパックに直接固定するのにどんな接着剤を使用してもよい。ホットメルト及び加熱活性接着剤はいくつかの例である。
【００２４】
上記の座屈折り機は４つのパネル、３折り畳み線オンサートを生産するように機能するけれども、折り機のローラを修正することによって他の構成も可能である。例えば、最後のシュート３８及びローラ４０を取り除くことによって３パネル、２折り畳み線オンサートが生産される。
【図面の簡単な説明】
【００２５】
【図１】本発明による、オンサートの折り畳み及びたばこパックへの貼り付け機械の概略側面図である。
【図２】本発明による、図１に示す機械の左端面図である。
【図３】図１に示す機械の断片的な右端面図であって、本発明により、特に、ラグベルトコンベヤの１つ及びオンサートをラグに当てた状態を示す図である。
【図３Ａ】ラグベルトコンベヤのラグによって下流方向に押されているオンサートの拡大断片的側面図である。
【図４】本発明による、たばこパックに折り畳まれたオンサートを貼り付けるための変形装置の断片的側面図である。
【図５】本発明による、素材のエンドレス供給源から折り畳まれたオンサートを生産するための、図１の機械の座屈折り機の断面図である。
【図１】
0004580381.tif 000002
【図２】
0004580381.tif 000003
【図３】
0004580381.tif 000004
【図３Ａ】
0004580381.tif 000005
【図４】
0004580381.tif 000006
【図５】
0004580381.tif 000007